(57)【要約】【課題】周囲の人の注目を引くための点滅可能な発光体を離れた位置で無線による遠隔操作によって点滅操作できるようにした無線発光型装飾具を提供する。【解決手段】電源３と、ＬＥＤ、豆電球、液晶のいずれかによる発光体２と、該発光体２を点滅動作する電子回路４とを備え、無線による受信信号を受けて電子回路４を駆動する受信装置５を備える。また、周辺から受信装置に信号を送る発信器６を備え、受信装置４と発信器６とは、電波または赤外線のいずれかによる無線によって交信可能とする。【選択図】図３
0003117729.tif 000002
【実用新案登録請求の範囲】
【請求項１】
電源と、発光体と、該発光体を点滅動作させる電子回路とを備えた無線発光型装飾具であって、該装飾具本体には、無線による受信信号を受けて電子回路を駆動させる受信装置を備えたことを特徴とする無線発光型装飾具。
【請求項２】
電源と、発光体と、該発光体を点滅操作させるスイッチとを備えた無線発光型装飾具であって、該装飾具本体には、無線による受信信号を受けてスイッチをＯＮ／ＯＦＦさせる受信装置を備えたことを特徴とする無線発光型装飾具。
【請求項３】
周辺から受信装置に信号を送る発信器を備えた請求項１または２記載の無線発光型装飾具。
【請求項４】
受信装置と発信器とは、電波または赤外線のいずれかによる無線によって交信可能とした請求項１乃至３のいずれか記載の無線発光型装飾具。
【請求項５】
前記スイッチは、無線による受信信号とは別に、手動操作でもって単独にＯＮ／ＯＦＦ可能とした請求項２乃至４のいずれか記載の無線発光型装飾具。
【請求項６】
発光体は、ＬＥＤ、豆電球、液晶のいずれかによる請求項１乃至５のいずれか記載の無線発光型装飾具。
【考案の詳細な説明】
【技術分野】
【０００１】
本考案は、例えばバッジ、ペンダント、ブローチ、指輪、ネックレス、キーホルダー等のアクセサリとして身に付けたり、あるいは部屋の天井、壁、机等に設置するインテリアとして使用し、周囲の人の注目を引くための点滅可能な発光体を備えた無線発光型装飾具に関する。
【背景技術】
【０００２】
従来、発光体を備えた装飾具としては、例えば特許文献１乃至９に開示されているように、バッジ、ペンダント、ブローチ、指輪、ネックレス、キーホルダー等のアクセサリに、発光体としての例えば発光ダイオード（ＬＥＤ）と、該発光体をリズミカルに点滅発光させるための電気回路と、該発光ダイオードおよび電気回路に電力を供給するための例えばボタン型電池等の電源とを備えた技術が存在する。
【０００３】
また、特許文献８，９に開示されているように、光源の発光を導いて輝く導光板と、導光板を覗かせる所要の文字、絵柄等のデザイン形状を有する放光窓とを備え、該放光窓の持続発光を可能とした技術が存在する。
【０００４】
【特許文献１】登録実用新案第３０１１７４１号公報
【特許文献２】登録実用新案第３０９９７７９号公報
【特許文献３】登録実用新案第３０６３２４９号公報
【特許文献４】登録実用新案第３００３６５０号公報
【特許文献５】特開２００１−７００１４号公報
【特許文献６】登録実用新案第３００１８２０号公報
【特許文献７】登録実用新案第３０３９９６１号公報
【特許文献８】登録実用新案第３０９５６６９号公報
【特許文献９】登録実用新案第３０９６１６６号公報
【考案の開示】
【考案が解決しようとする課題】
【０００５】
しかしながら、従来においては、装用者が自らスイッチ操作することで、装飾具内部の電気回路を通して発光体を点滅発光させる構成となっており、発光体を装飾具から離れた位置で点滅操作するという技術が従来では存在していなかった。
【０００６】
そこで、本考案は、叙上のような従来存した諸事情に鑑み案出されたもので、例えばバッジ、ペンダント、ブローチ、指輪、ネックレス、キーホルダー等のアクセサリとして、あるいは部屋の天井、壁、机等に設置するインテリアとして使用し、周囲の人の注目を引くための点滅可能な発光体を備えた装飾具において、発光体を装飾具本体から離れた位置で無線による遠隔操作によって点滅操作することが可能な無線発光型装飾具を提供することを目的とする。
【課題を解決するための手段】
【０００７】
上述した課題を解決するため、本考案にあっては、電源と、発光体と、該発光体を点滅動作させる電子回路とを備えた無線発光型装飾具であって、該装飾具本体には、無線による受信信号を受けて電子回路を駆動させる受信装置を備えたものである。
【０００８】
あるいは、電源と、発光体と、該発光体を点滅操作させるスイッチとを備えた無線発光型装飾具であって、該装飾具本体には、無線による受信信号を受けてスイッチをＯＮ／ＯＦＦさせる受信装置を備えたものとすることができる。
【０００９】
そして、周辺から受信装置に信号を送る発信器を備えたものとすることができる。
【００１０】
受信装置と発信器とは、電波または赤外線のいずれかによる無線によって交信可能としたものとすることができる。
【００１１】
前記スイッチは、無線による受信信号とは別に、手動操作でもって単独にＯＮ／ＯＦＦ可能としたものとすることができる。
【００１２】
発光体は、ＬＥＤ、豆電球、液晶のいずれかによるものとすることができる。
【００１３】
以上のように構成された本考案に係る無線発光型装飾具でにあって、装飾具本体の受信装置は、第三者による発信器からの電波または赤外線のいずれかの無線による受信信号を受けて、電子回路を駆動させるか、あるいはスイッチをＯＮ／ＯＦＦさせるかして、ＬＥＤ、豆電球、液晶のいずれかによる発光体を点滅動作させる。
【考案の効果】
【００１４】
本考案によれば、例えばバッジ、ペンダント、ブローチ、指輪、ネックレス、キーホルダー等のアクセサリとして、あるいは部屋の天井、壁、机等に設置するインテリアとして使用し、周囲の人の注目を引くための点滅可能な発光体を備えた装飾具において、当該発光体を装飾具本体から離れた位置で無線による遠隔操作によって点滅操作することが可能となる。
【００１５】
本考案の装飾具を友達同士の遊びとして利用する場合には、例えば、バッジを胸に装着しておくと、第三者による発信器の手操作でもってバッジに付設してある発光体を点滅させることができる。
【００１６】
また、本考案の装飾具をパーティ、クリスマス、子供の誕生日会等に利用する場合には、多数の装飾具を部屋の天井、壁、机等に設置しておき、発信器を手操作することで、部屋中の発光体を次々と点滅させることができる。
【考案を実施するための最良の形態】
【００１７】
以下、図面を参照して本考案を実施するための最良の一形態を説明すると、図において示される符号１は、本考案の無線発光型装飾具を構成する装飾具本体である。図１は装飾具本体１としてハート形のペンダントを示しているが、図２に示すように、他の装飾品、例えばバッジ、ブローチ、指輪、ネックレス、キーホルダー等のアクセサリとして身に付けたり、あるいは部屋の天井、壁、机等に設置するインテリアとして使用したりすることもできる。
【００１８】
この装飾具本体１の表面には、周囲の人の注目を引くための無線によって点滅可能とした単数もしくは複数の発光体２を備えている。すなわち、装飾具本体１は、図３に示すように、電源３と、ＬＥＤ、豆電球、液晶等の発光体２と、該発光体２を点滅動作させるための電子回路４と、無線による受信信号を受けて電子回路４を駆動させるための受信装置５とを備えている。また、装飾具本体１の周辺から受信装置５に向けて無線信号を送るための発信器６を当該装飾具本体１とは独立して備えている。
【００１９】
受信装置５は、無線信号として特定の周波数の電波または赤外線を検出する同調回路５Ａと、該同調回路５Ａで検出された信号によってＯＮ／ＯＦＦする半導体スイッチング素子５Ｂとによって構成される。そして、半導体スイッチング素子５ＢがＯＮ状態の時は、電子回路４が駆動させられ、これによって発光体２を所定のリズム間隔で点滅動作させるものとしてある。
【００２０】
発信器６は、無線信号として特定の周波数の電波または赤外線を発信可能とする発信回路６Ａが内蔵されており、装飾具本体１の受信装置５と無線によって交信可能としてある。
【００２１】
また、図４には本考案の無線発光型装飾具の他例が示されている。
すなわち、本例では、装飾具本体１に、電源３と、発光体２と、該発光体２を点滅操作させる例えばリレー等のスイッチ７とを備え、該スイッチ７は、発信器６からの無線信号を装飾具本体１の受信装置５で受けてＯＮ／ＯＦＦ動作する構成としてある。
【００２２】
このとき、スイッチ７は、第三者からの無線による受信信号とは別に、装用者自らの手動操作でもって単独にＯＮ／ＯＦＦできるようにしてある。尚、この発光体２とスイッチ７との間に、当該発光体２を点滅動作させるための電子回路４を備えていても良い。
【００２３】
次に、以上のように構成された最良の形態についての使用、動作の一例について説明すると、図２に示すように、使用者は装飾具本体１を身に付けておくか、あるいは多数の装飾具本体１を部屋の天井、壁、机等に設置しておく。
【００２４】
第三者により発信器６から特定の周波数の電波または赤外線を受信装置５に向けて発信する。受信装置５はこの信号を受けて、電子回路４が駆動されるか、あるいはスイッチ７がＯＮ／ＯＦＦされるかして、ＬＥＤ、豆電球、液晶のいずれかによる発光体２が点滅動作される。
【００２５】
装飾具本体１を友達同士の遊びとして利用する場合、装飾具本体１である例えばバッジ等を胸に装着しておくと、第三者による発信器６の手動操作でもってバッジに付設してある発光体２を所定の周期間隔で点滅させることができる。
【００２６】
また、装飾具本体１をパーティ、クリスマス、子供の誕生日会等に利用する場合、多数の装飾具本体１としての例えば吊り電飾アート、パネルアート、クリスマスツリー、インテリアスタンド等を部屋の天井、壁、床、机等にそれぞれ設置しておき、発信器６を手動操作することで、部屋中の発光体２を次々と所定の周期間隔で点滅させることができ、従来の発光ダイオード付のアクセサリー以上の演出効果が得られる。
【図面の簡単な説明】
【００２７】
【図１】本考案を実施するための最良の形態を示す装飾具本体の正面図である。
【図２】同じく本考案を実施するための最良の形態を示す使用状態の斜視図である。
【図３】同じく装飾具本体および発信器の回路構成図である。
【図４】本考案を実施するための最良の形態における他例を示す装飾具本体および発信器の回路構成図である。
【符号の説明】
【００２８】
１    装飾具本体
２    発光体
３    電源
４    電子回路
５    受信装置
５Ａ  同調回路
５Ｂ  半導体スイッチング素子
６    発信器
６Ａ  発振回路
７    スイッチ
【図１】
0003117729.tif 000003
【図２】
0003117729.tif 000004
【図３】
0003117729.tif 000005
【図４】
0003117729.tif 000006